(57)【要約】【課題】  複数の受信系を有する受信ダイバシティ機能の無線通信装置において無線特性測定をなす場合に、測定時間を短縮する。【解決手段】  １系受信部５を測定対象として選択して無線特性を測定し、その後に、この１系受信部５と次の測定対象の２系受信部１２とを同時に選択し、しかる後に、この２系受信部１２のみを選択してその無線特性の測定をなすように、制御部１５によって制御する。無線特性がＢＥＲである場合には、制御部１５にＢＥＲカウンタ１６を接続して、各系の受信部のＢＥＲを測定する。こうすることにより、１系より後の受信部の測定の際には、周波数サーチ、同期確立、チャネルオープンなどの処理が不要となり、ＢＥＲ測定時間が短縮される。【選択図】      図１
2008092383.tif 000002
【特許請求の範囲】
【請求項１】
複数の受信系を有する受信ダイバシティ機能の無線通信装置における無線特性測定システムであって、
１つの受信系を測定対象として選択して無線特性を測定し、その後に、前記１つの受信系と次の測定対象の受信系とを同時に選択し、しかる後に、前記次の測定対象の受信系を選択してその無線特性の測定をなすよう制御する制御手段を含むことを特徴とする無線特性測定システム。
【請求項２】
前記無線特性は受信信号のＢＥＲ（ビット誤り率）またはＢＬＥＲ（ブロック誤り率）であることを特徴とする請求項１記載の無線特性測定システム。
【請求項３】
前記無線特性がＢＥＲである場合、ＢＥＲを測定するＢＥＲカウンタを、更に含むことを特徴とする請求項２記載の無線特性測定システム。
【請求項４】
複数の受信系を有する受信ダイバシティ機能の無線通信装置における無線特性測定方法であって、
１つの受信系を測定対象として選択して無線特性を測定するステップと、
その後に、前記１つの受信系と次の測定対象の受信系とを同時に選択するステップと、
しかる後に、前記次の測定対象の受信系を選択してその無線特性の測定をなすステップとを含むことを特徴とする無線特性測定方法。
【請求項５】
前記無線特性は受信信号のＢＥＲ（ビット誤り率）またはＢＬＥＲ（ブロック誤り率）であることを特徴とする請求項４記載の無線特性測定方法。
【請求項６】
前記無線特性がＢＥＲである場合、ＢＥＲをＢＥＲカウンタにより測定するステップを、更に含むことを特徴とする請求項５記載の無線特性測定方法。
【発明の詳細な説明】
【技術分野】
【０００１】
本発明は無線特性測定システム及びその測定方法に関し、特に複数の受信系を有する受信ダイバシティ機能の無線通信装置における無線特性測定方式に関するものである。
【背景技術】
【０００２】
携帯電話機などの無線通信装置においては、無線特性の評価、検査のためにＢＥＲ（Bit Error Rate）の測定が行われる。例えば、携帯電話機におけるＢＥＲ測定の際には、図６に示す様な動作フローに従って行われる。図６を参照すると、受信信号の周波数サーチ処理（ステップＳ１）、同期確立処理（ステップＳ２）、チャネルオープン処理（ステップＳ３）の各処理を行った後、受信部によりデータ受信を行って（ステップＳ４）、ＢＥＲの測定を開始し（ステップＳ５）、ＢＥＲ測定終了となる（ステップＳ６）。
【０００３】
この様に、ＢＥＲの測定には、周波数サーチや、同期確立や、チャネルオープンなどの処理が必要であり、実際にＢＥＲを測定するまでには時間がかかる。特に、複数系統の受信部を有する受信ダイバシティ機能を持つ携帯電話機などの無線通信装置では、各系統の受信部の評価、検査のために、それぞれの受信部のＢＥＲ測定が要求されるので、それぞれの受信部毎に、図６に示した如く、周波数サーチ、同期確立、チャネルオープンなどの処理が必要になっている。
【０００４】
なお、特許文献１〜３には、受信ダイバシティ機能を有する受信機において、受信中に、複数系統の受信部のうち１つを選択するに際して、無線特性を判定条件とした技術が開示されている。
【０００５】
【特許文献１】特開２００５−２２３７８４号公報
【特許文献２】特開２００３−２４４０４３号公報
【特許文献３】特開２００５−０６５００１号公報
【発明の開示】
【発明が解決しようとする課題】
【０００６】
上述したように、Ｎ系統の受信部を有する受信ダイバシティ機能を持つ無線通信装置において、ＢＥＲを測定する場合には、Ｎ個の受信部の各々について、周波数サーチ、同期確立、チャネルオープンなどの処理が必要となるために、トータルの測定時間は、単一の受信部のＢＥＲ測定時間をＴとすると、Ｔ・Ｎの時間を要するという欠点がある。
【０００７】
なお、特許文献１〜３の技術は、受信ダイバシティ機能の受信装置において、受信中に無線特性の良い受信部を選択する際の判定条件に関するものである。特に、特許文献１では、受信部の切替えに際して、復調部の同期はずれが生じないように、ダイバシティ用の受信系統とは別の受信部を設けておき、この別に設けた受信部からは常時受信信号を入力することにより、アンテナ切替え時の同期はずれを防止する技術が開示されており、本発明が対象とする複数系統の受信部の各々の無線特性の評価や検査のためのＢＥＲ測定技術とは相違している。
【０００８】
本発明の目的は、無線特性の評価や検査を行う場合のＢＥＲなどの無線特性の測定時間を短縮可能な受信ダイバシティ無線通信装置の無線特性測定システム及びその測定方法を提供することである。
【課題を解決するための手段】
【０００９】
本発明による無線特性測定システムは、複数の受信系を有する受信ダイバシティ機能の無線通信装置における無線特性測定システムであって、１つの受信系を測定対象として選択して無線特性を測定し、その後に、前記１つの受信系と次の測定対象の受信系とを同時に選択し、しかる後に、前記次の測定対象の受信系を選択してその無線特性の測定をなすよう制御する制御手段を含むことを特徴とする。
【００１０】
本発明による無線特性測定方法は、複数の受信系を有する受信ダイバシティ機能の無線通信装置における無線特性測定方法であって、１つの受信系を測定対象として選択して無線特性を測定するステップと、その後に、前記１つの受信系と次の測定対象の受信系とを同時に選択するステップと、しかる後に、前記次の測定対象の受信系を選択してその無線特性の測定をなすステップとを含むことを特徴とする。
【発明の効果】
【００１１】
本発明によれば、最初の系統の受信部の無線特性測定時を除く、それ以降の各系統の受信部の測定に際しては、周波数サーチ、同期確立、チャネルオープンなどの処理をなくして、トータルの無線特性測定時間を短縮できるという効果がある。
【発明を実施するための最良の形態】
【００１２】
以下に図面を用いて本発明の実施の形態について説明する。図１は本発明の一実施の形態を示すブロック図である。図１を参照すると、本実施の形態は、送信部６、１系受信部５、２系受信部１２、アンテナ共用器４、第１アンテナ１、第２アンテナ９、１系アンテナスイッチ３、１系試験用コネクタ２、２系アンテナスイッチ１１、２系試験用コネクタ１０、信号合成部１３、制御部１５、ＢＥＲカウンタ１６を含んでいる。
【００１３】
送信部６は、無線部及びベースバンド処理部から構成されており、変調処理を行うものである。１系受信部５及び２系受信部１２は、無線部及びベースバンド処理部から構成されており、復調処理を行うものである。アンテナ共用器４は、送信部６と１系受信部５とで使用する第１アンテナ１を共用するためのものである。この共用器４は、１系アンテナスイッチ３に接続されており、１系アンテナスイッチ３は、第１アンテナ１及び１系試験用コネクタ２のいずれかに接続するための選択スイッチである。１系試験用コネクタ２は、ＢＥＲ測定時に、試験用信号発生器（図２のシステムシミュレータ１７）が接続されることになる。
【００１４】
２系受信部１２は、２系アンテナスイッチ１１に接続されており、この２系アンテナスイッチ１１は、第２アンテナ９及び２系試験用コネクタ１０のいずれかに接続するための選択スイッチである。２系試験用コネクタ１０は、ＢＥＲ測定時に、試験用信号発生器が接続される（図２参照）。信号合成部１３は、１系受信部５と２系受信部１２の受信信号を合成して制御部１５へ出力するものである。
【００１５】
制御部１５は、送信、受信のベースバンド信号処理を行い、また１系受信部５からの受信信号の選択／非選択を制御する制御信号７と、２系受信部１２からの受信信号の選択／非選択を制御する制御信号１４とを、それぞれの受信部５と１２へ出力するものである。また、制御部１５は、復調された受信信号をＢＥＲ測定用のＢＥＲクロックやＢＥＲデータとしてＢＥＲカウンタ１６へ出力するものである。ＢＥＲカウンタ１６はＢＥＲを算出してその結果を出力する機能を有するものである。
【００１６】
図１に示した無線通信装置の無線特性であるＢＥＲを測定するには、図２に示すシステム構成とされる。例えば、図に示している如く、受信部を２系統有する携帯電話機の無線特性を測定、検査する場合には、ＢＥＲ測定を行うことが一般的である。いま、ＷＣＤＭＡ方式の携帯電話機の場合を考えると、３ＧＰＰ（3rd Generation Partnership Project）のＴＳ２５．１０１において、“Ｒｅｆｅｒｅｎｃｅ  Ｓｅｎｓｉｔｉｖｉｔｙ  Ｌｅｖｅｌ”として、ＢＥＲによる受信感度が規定されている。
【００１７】
このＷＣＤＭＡ端末のＢＥＲ測定を行うには、図２に示すように、システムシミュレータ１７を用いて、ダウンリンク信号２０を発生させて、信号分配器１８により、このダウンリンク信号２０を１系ダウンリンク信号２２と２系ダウンリンク信号２３とに分配する。そして、１系ダウンリンク信号２２はサーキュレータ１９を介して１系試験用コネクタ２へ供給し、２系ダウンリンク信号２３は２系試験用コネクタ１０へ供給する。
【００１８】
サーキュレータ１９について説明すると、このサーキュレータ１９の第１ポートには１系ダウンリンク信号２２を供給して、第２ポートからこの１系ダウンリンク信号を１系試験用コネクタ２へ供給する。そして、１系試験用コネクタ２からの送信信号を、この第２ポートを介して第３ポートから出力するようにして、システムシミュレータ１７へアップリンク信号２１として供給するのである。なお、このアップリンク信号２１は同期確立処理のなかで、端末側とシミュレータ１７との間の通信に使用される。そして、選択スイッチ３，１１を、コネクタ２，１０をそれぞれ選択するように切替える。この状態において、図３のフローチャートに従って、ＢＥＲの測定が行われることになる。
【００１９】
先ず、１系の受信周波数サーチを行い（ステップＳ１１）、同期確立処理（ステップＳ１２）の後、チャネルオープン処理を行う（ステップＳ１３）。そして、データ受信の系を１系に選択（ステップＳ１４）し、１系受信部５のＢＥＲ測定を開始する（ステップＳ１５）。この１系のＢＥＲ測定が終了すると（ステップＳ１６）、データ受信の系を１系の他２系をも選択する（ステップＳ１７）。その後、データ受信の系を２系に選択し（ステップＳ１８）、２系受信部１２のＢＥＲ測定を開始して（ステップＳ１９）、２系のＢＥＲ測定が終了すると（ステップＳ２０）、全ての測定が終了となる。
【００２０】
図４はこの場合の動作タイミングチャートを示しており、１系から２系への受信データを切替える際に、１系受信部５と２系受信部１２との両受信データが合成される期間を設けており、この期間を設けることにより、同期確立を維持しつつ連続して２系統の受信部のＢＥＲ測定を行うことが可能になる。３系統以上の受信部がある場合にも、同様に、前後の系の両受信データが合成される期間を設けることにより、同期確立を維持しつつ連続して複数系統の受信部のＢＥＲ測定を行うことができることは明らかである。
【００２１】
なお、上記実施の形態では、無線特性の測定対象としてＢＥＲを用いたが、それに代えてＢＬＥＲ（Block Error Rate）を用いても良く、この場合には、ＢＥＲカウンタ１６は不要であり、制御部１５内で、ＢＬＥＲの計算を行うようにすれば良い。
【００２２】
本発明の他の実施の形態について、図５を参照して説明する。図５は本発明の他の実施の形態を示すシステムブロック図であり、図１及び図２と同等部分は同一符号をもって示している。本例においては、ＢＥＲ測定を、ＢＥＲカウンタを用いる代りに、受信部５や１２が出力する受信データを制御部１５において送信部６へ折り返してシステムシミュレータ１７側で行うようにしたものである。
【００２３】
そのために、信号分配器１８と１系試験用コネクタ２との間のサーキュレータ１９の第３ポートから出力されるアップリンク信号２１を用いて、システムシミュレータ１７の内部のＢＥＲカウンタ（図示せず）、またはシステムシミュレータ１７に接続したＢＥＲカウンタ（図示せず）により、各系の受信データのＢＥＲを測定することになる。
【００２４】
本例においても、ＢＥＲの代りに、ＢＬＥＲを測定することができることは勿論である。また、無線特性としては、ＢＥＲやＢＬＥＲに限定されるものではないことは明らかである。更には、携帯電話機について説明しているが、これに限らず、受信ダイバシティ機能を有する無線通信装置について適用できるものである。
【図面の簡単な説明】
【００２５】
【図１】本発明の一実施の形態の概略ブロック図である。
【図２】本発明の一実施の形態のシステムブロック図である。
【図３】本発明の一実施の形態の動作を示すフローチャートである。
【図４】本発明の一実施の形態の動作タイミングチャートである。
【図５】本発明の他の実施の形態のシステムブロック図である。
【図６】従来技術のＢＥＲ測定のためのフローチャートである。
【符号の説明】
【００２６】
１  第１アンテナ
２  １系試験用コネクタ
３  １系アンテナスイッチ
４  アンテナ共用器
５  １系受信部
６  送信部
９  第２アンテナ
１０  ２系試験用コネクタ
１１  ２系アンテナスイッチ
１２  ２系受信部
１３  信号合成部
１５  制御部
１６  ＢＥＲカウンタ
１７  システムシミュレータ
１８  信号分配器
１９  サーキュレータ
【図１】
2008092383.tif 000003
【図２】
2008092383.tif 000004
【図３】
2008092383.tif 000005
【図４】
2008092383.tif 000006
【図５】
2008092383.tif 000007
【図６】
2008092383.tif 000008